(57)【要約】      （修正有）【課題】液体供給機の注入口と容器の口部とがずれている場合でも注入口と口部とを接続することができ、しかも液体の脈動をより抑制する液体用接続パイプを提供する。【解決手段】液体用接続パイプ３は、弾性変形可能なパイプ本体４と、パイプ本体４の内部空間４ａを仕切ると共に外部空間に延長する仕切壁５とを備える。パイプ本体４が弾性変形するので、注入口２４と容器２の口部２ａとがずれていても、両者を接続できる。そして仕切壁５は、パイプ本体４の貫通方向に沿って延びると共にパイプ本体４の内部空間４ａを仕切る仕切壁本体７と、仕切壁本体７からパイプ本体４の外部空間に向かって延長する仕切壁延長部８とを備える。仕切壁延長部８を容器２の口部２ａ内に差し込めば、容器２の口部２ａ内でも液体の脈動を抑制できる。【選択図】図５
0003223867.tif 000002
【実用新案登録請求の範囲】
【請求項１】
弾性変形可能なパイプ本体と、パイプ本体の内部空間を仕切ると共に外部空間に延長する仕切壁とを備え、
仕切壁は、パイプ本体の貫通方向に沿って延びると共にパイプ本体の内部空間を仕切る仕切壁本体と、仕切壁本体からパイプ本体の外部空間に向かって延長する仕切壁延長部とを備えることを特徴とする液体用接続パイプ。
【請求項２】
パイプ本体の外周面からその周方向に沿って突出するリブを備えることを特徴とする請求項１に記載の液体用接続パイプ。
【請求項３】
仕切壁本体は、パイプ本体の全長よりも短く且つパイプ本体のうち仕切壁延長部側の一端から他端へ向かって延び、
パイプ本体の内部空間は、仕切壁本体によって仕切られる第１の空間部と第２の空間部と、仕切壁延長部とは反対側において第１の空間部と第２の空間部とに通じる大空間部とを備えることを特徴とする請求項１又は２に記載の液体用接続パイプ。
【請求項４】
パイプ本体の外周面であって仕切壁延長部とは反対側に位置合わせ用の目印部を備え、
仕切壁延長部が直線状に見える向きでパイプ本体の外周面を見た場合に目印部と仕切壁延長部とは同一の直線上に配置されていることを特徴とする請求項３に記載の液体用接続パイプ。
【請求項５】
仕切壁本体のうち仕切壁延長部とは反対側の端部であって且つ仕切壁本体の厚み方向の一方側から大空間部側に向かって延びる位置決め部を備えることを特徴とする請求項３又は４に記載の液体接続用パイプ。
【請求項６】
請求項３〜５の何れかに記載の液体用接続パイプと、液体用接続パイプを接続する液体供給機とを備え、
液体供給機は液体用接続パイプのうち仕切壁延長部とは反対側の大空間部側に嵌合させる形で接続する注入口を備え、
注入口は、筒状の注入口本体と、注入口本体の内部空間を仕切ると共に外部空間に延長する第２の仕切壁とを備え、
第２の仕切壁は、注入口本体の貫通方向に沿って延びると共に注入口本体の内部空間を仕切る第２の仕切壁本体と、第２の仕切壁本体から注入口本体の外部空間に向かって延長する第２の仕切壁延長部とを備え、
注入口と液体用接続パイプを接続させた状態では仕切壁と第２の仕切壁とを一直線に揃えられるように、貫通方向から見た注入口本体の中心に対する第２の仕切壁延長部の端面の配置と、貫通方向から見たパイプ本体の中心に対する仕切壁本体の端面の配置とを合わせてあることを特徴とする液体供給機セット。
【考案の詳細な説明】
【技術分野】
【０００１】
本考案は、液体が通過する管路に用いられる液体用接続パイプに関する。また本考案は、容器に液体用接続パイプを介して接続する液体供給機と、当該液体用接続パイプとを組み合わせた液体供給機セットに関する。
【背景技術】
【０００２】
容器の口部から液体を流出させると、液体の代わりに空気が容器内に流入する。以下では、容器から液体が流出する単位時間当たりの量を「液体の流出量」と称し、容器へ空気が単位時間当たりに流入する量を「空気の流入量」と称することにする。
水平に対する容器の傾き角度が０度に近い場合（水平に近い状態の場合）には、空気の流入量と液体の流出量とは時間経過に関係なくほぼ一定で、液体が静かに流出する。
しかし水平に対する容器の傾き角度が９０度に近づくにつれて、空気の流入量と液体の流出量とは時間経過によって変動する現象が見られるようになる。より詳しく言えば、ある瞬間には勢いよく大量に液体が流出し、次の瞬間には液体が少量だけ流出することを繰り返す現象である。このような現象を液体の脈動と称することにする。
【０００３】
そして液体の脈動を防止するために容器の口部に接続する注ぎ口具が考案されている（特許文献１）。注ぎ口具は、注ぎ筒部と称されるパイプ本体と、パイプ本体の内部を仕切る仕切りとを備える。そして仕切りは、仕切自身の両側を通過する流体（液体・空気）の流れを整える効果、つまり整流効果を発揮する。
【０００４】
また同様の構成を採用して液体の脈動を防止しつつ液体を定量供給する液体供給機が存在する（特許文献２）。この液体供給機は、液体を供給するときに操作する操作部の他に、瓶等の容器の口部に接続する連結管（以下、「注入口」と称する。）を備えている。
【先行技術文献】
【特許文献】
【０００５】
【特許文献１】実開平６−８０６４５号公報
【特許文献２】特開２０１７−７４９８３号公報
【考案の概要】
【考案が解決しようとする課題】
【０００６】
上記した液体供給機は、注入口の外周面には瓶等の口部の内径に応じたパッキンが装着される。しかしながらこの場合、注入口と容器の口部を正確に合わせないと、両者を接続できないので、容器の取り付け作業が厄介である。
【０００７】
また注入口の内部空間を仕切ることによって液体の脈動を抑えてはいるが、その効果をより向上させることが求められている。
【０００８】
本考案は上記実情を考慮して創作されたもので、液体供給機の注入口と容器の口部とがずれている場合でも注入口と口部とを接続することができ、しかも液体の脈動をより抑制することを目的とする。
【課題を解決するための手段】
【０００９】
本考案者は、注入口と容器の口部とをパッキンではなく、弾性変形可能な接続パイプを用いて接続することを思い付いた。接続パイプが弾性変形すれば、注入口と容器の口部とがずれていても両者を容易に接続することができる。この考えを基礎とし、そのうえで液体の脈動を抑制するために接続パイプの内部空間を仕切った試作品を製作した。試作品のように接続パイプの内部空間を仕切っただけでは、液体の脈動を抑制する効果は上記した液体供給機の注入口の場合と比べて大差なかった。このような問題を解消したのが以下の本考案の液体用接続パイプである。
【００１０】
本考案の液体用接続パイプは、弾性変形可能なパイプ本体と、パイプ本体の内部空間を仕切ると共に外部空間に延長する仕切壁とを備えるものである。そして仕切壁は、パイプ本体の貫通方向に沿って延びると共にパイプ本体の内部空間を仕切る仕切壁本体と、仕切壁本体からパイプ本体の外部空間に向かって延長する仕切壁延長部とを備えるものである。
【００１１】
パイプ本体は弾性変形可能なので、注入口と容器の口部とがずれていても、両者を接続することができる。しかし注入口と容器の口部とのずれる量が大きくなると、パイプ本体が大きく曲がって部分的に潰れ、液体の流出量が減ることになる。そこでパイプ本体が曲がっても部分的に潰れ難くするには、次のようにすることが望ましい。
すなわちパイプ本体の外周面からその周方向に沿って突出するリブを備えることである。
【００１２】
仕切壁本体はパイプ本体の全長に亘って形成されるか否かを問わないが、注入口の構成が接続パイプと同様の構成（注入口の内部空間を仕切ると共に外部空間に延長する第２の仕切壁を備える構成）である場合には、注入口の第２の仕切壁と接続パイプの仕切壁とを一直線に揃えるように位置決めし易くすることが望ましく、それには次のようにする。
すなわち仕切壁本体は、パイプ本体の全長よりも短く且つパイプ本体のうち仕切壁延長部側の一端から他端へ向かって延びるものとする。そしてパイプ本体の内部空間は、仕切壁本体によって仕切られる第１の空間部と第２の空間部と、仕切壁延長部とは反対側において第１の空間部と第２の空間部とに通じる大空間部とを備えることにする。
【００１３】
液体用接続パイプは仕切壁延長部側を容器の口部に挿入すると、仕切壁がどのようにしてパイプ本体の内部を仕切っているのかが不明となる。このような状態であっても仕切壁延長部の配置を理解するには次のようにすることが望ましい。
すなわちパイプ本体の外周面であって仕切壁延長部とは反対側に目印部を備えることである。そして仕切壁延長部が直線状に見える向きでパイプ本体の外周面を見た場合に目印部と仕切壁延長部とは同一の直線上に配置されていることにする。
【００１４】
仕切壁と大空間部とは貫通方向に隣接するか否かを問わない。しかし仕切壁と第２の仕切壁とを一直線に揃えるように位置決めし易くするには次のようにすることが望ましい。
すなわち仕切壁本体のうち仕切壁延長部とは反対側の端部であって且つ仕切壁本体の厚み方向の一方側から大空間部側に向かって延びる位置決め部を備えることである。
【００１５】
上記した液体用接続パイプと液体供給機とを組み合わせたものが液体供給機セットである。そして液体供給機セットとしては、上記した大空間部を備える液体用接続パイプと液体供給機の注入口との位置決めを容易にするには、次のものが望ましい。
すなわち本考案の液体供給機セットは、上記した大空間部を備える液体用接続パイプと、液体用接続パイプを接続する液体供給機とを備えるものを前提とする。そして液体供給機は液体用接続パイプのうち仕切壁延長部とは反対側の大空間部側に嵌合させる形で接続する注入口を備えるものとする。そのうえで注入口は、筒状の注入口本体と、注入口本体の内部空間を仕切ると共に外部空間に延長する第２の仕切壁とを備える。そして第２の仕切壁は、注入口本体の貫通方向に沿って延びると共に注入口本体の内部空間を仕切る第２の仕切壁本体と、第２の仕切壁本体から注入口本体の外部空間に向かって延長する第２の仕切壁延長部とを備えるものとする。そして注入口と液体用接続パイプを接続させた状態では仕切壁と第２の仕切壁とを一直線に揃えられるように、貫通方向から見た注入口本体の中心に対する第２の仕切壁延長部の端面の配置と、貫通方向から見たパイプ本体の中心に対する仕切壁本体の端面の配置とを合わせてある。
【考案の効果】
【００１６】
本考案の液体用接続パイプは、容器の口部内を仕切壁によって仕切るように接続すれば、仕切壁によってパイプ本体の内部空間だけでなく容器の口部内も整流効果が発揮され、例えば仕切壁がパイプ本体の内部空間を仕切るだけのものと比べれば、液体の脈動をより抑制することができる。しかもパイプ本体が弾性変形するので、容器の口部と注入口とがずれていても、両者を接続することができ、接続作業が容易になる。
【００１７】
また本考案の液体用接続パイプは、リブを備えるものであれば、パイプ本体を曲げた場合にも部分的に潰れ難くなり、例えばリブがない液体用接続パイプに比べれば、液体の流出量を確保し易くなる。
【００１８】
また本考案の液体用接続パイプは、仕切壁延長部とは反対側に大空間部を備えるものであれば、例えば注入口の構成を接続パイプと同様の構成にしたものに対しては、当該注入口用の第２の仕切壁を目安にして、第２の仕切壁と液体用接続パイプの仕切壁とを一直線に揃えて、第２の仕切壁を大空間部に挿入することができ、注入口用の第２の仕切壁と液体用接続パイプの仕切壁とを当該パイプの貫通方向に合わせて位置決めし易くなり、液体の脈動を抑制することができる。
【００１９】
また本考案の液体用接続パイプは目印部を備えるものであれば、例えば仕切壁延長部が容器の口部内に挿入されて目視不能となったとしても、目印部によって仕切壁の状態を把握しながら仕切壁延長部とは反対側に注入口を接続することができる。
【００２０】
また本考案の液体用接続パイプは位置決め部を備えるものであれば、注入口の第２の仕切壁を位置決め部に重ね合わせることができるので、仕切壁と第２の仕切壁とを一直線に揃えるように位置決めし易くなる。
【図面の簡単な説明】
【００２１】
【図１】（Ａ）（Ｂ）図は、本考案の第一実施形態の液体用接続パイプを示す斜視図、側面図である。
【図２】第一実施形態の液体用接続パイプの曲がった状態を示す断面図である。
【図３】（Ａ）〜（Ｄ）図は、第一実施形態の液体用接続パイプを示す正面図、平面図、Ａ−Ａ線断面図、Ｂ−Ｂ線断面図である。
【図４】第一実施形態の液体供給機セットの取付状態を示す説明図である。
【図５】第一実施形態の液体供給機セットの使用状態を示す説明図である。
【図６】（Ａ）（Ｂ）図は、本考案の第二実施形態の液体用接続パイプを示す斜視図、側面図である。
【図７】図６（Ｂ）のVII−VII線断面図である。
【図８】図６（Ｂ）のVIII−VIII線断面図である。
【図９】第二実施形態の液体供給機セットの取付状態を示す説明図である。
【図１０】第二実施形態の液体供給機セットの使用状態を示す説明図である。
【考案を実施するための形態】
【００２２】
本考案の第一実施形態の液体供給機セットは図４，５に示すように、液体供給機１と、液体供給機１に容器２を接続する液体用接続パイプ３とを備える。
【００２３】
液体用接続パイプ３は図１〜３に示すように、パイプ本体４と、パイプ本体４の内部空間４ａを仕切ると共に外部空間に延長する仕切壁５と、パイプ本体４の外周面からその周方向に沿って突出するリブ６とを備える。また液体用接続パイプ３は例えばシリコンゴムに代表される弾性変形可能なものである。
【００２４】
仕切壁５は板状であり、パイプ本体４の貫通方向に沿って延びる。また仕切壁５は、パイプ本体４の内部空間４ａを仕切る仕切壁本体７と、仕切壁本体７からパイプ本体４の外部空間に向かって延長する仕切壁延長部８とを備える。
【００２５】
仕切壁本体７はパイプ本体４の全長Ｌよりも短い。ちなみにパイプ本体４の全長Ｌとは、パイプ本体４の貫通方向の長さである。また仕切壁本体７は、パイプ本体４のうち仕切壁延長部８側の一端から他端へ向かって延びるが、パイプ本体４の全長Ｌよりも短いので、パイプ本体４の他端に達することは無い。
【００２６】
パイプ本体４は円筒状である。パイプ本体４の内部空間４ａは、仕切壁本体７によって仕切られる第１の空間部４ｂと第２の空間部４ｃと、仕切壁延長部８とは反対側において第１の空間部４ｂと第２の空間部４ｃとに通じる大空間部４ｄとを備える。
【００２７】
またパイプ本体４は、貫通方向の両端部のうち仕切壁延長部８側の端部４ｈの外周面をテーパー状にしてある。ここでのテーパー状とは、仕切壁延長部８に向かうにつれて外径が小さくなる状態である。そしてパイプ本体４の両端部のうち仕切壁延長部８側の端部４ｈは容器２の口部２ａに接続するものとする。一方、パイプ本体４の両端部のうち仕切壁延長部８とは反対側の端部４ｉは液体供給機１に接続するものとする。またパイプ本体４の貫通方向の中間部４ｊは、その貫通方向の両端部に比べて厚みを薄くしてある。そしてパイプ本体４は弾性変形可能なものなので、曲げると、その曲げ具合によってはパイプ本体４の貫通方向の中間部４ｊが部分的に潰れ、液体や空気が通過し難くなる。それを防ぐのがリブ６である。
【００２８】
リブ６はパイプ本体４のうち貫通方向の中間部４ｊに形成される。またリブ６は環状で、パイプ本体４の外周面をその周方向の全長に亘って包囲する形で延びる。そして複数のリブ６がパイプ本体４の外周面のパイプ本体４の貫通方向に間隔を開けて形成される。このリブ６を含む液体用接続パイプ３には容器２の口部２ａと液体供給機１とが接続される。
【００２９】
容器２は、ウイスキーに代表される酒やその他の液体が収容される瓶や紙パックやペットボトル等である。そして図４に示すように容器２を上下逆さまにし、容器２の口部２ａを下に向けた状態で保持するために本実施形態ではスタンド１１がテーブルＴに固定される。
【００３０】
スタンド１１は、テーブルＴを挟むバイス１２と、バイス１２から直立するシャフト１３と、シャフト１３の上部から側方に延びるアーム１４と、アーム１４の先部において容器２を固定する上側固定部（図示せず）と、シャフト１３の下部から側方に延びると共に液体供給機１を固定するための下側固定部１５とを備える。ちなみにシャフト１３はその長さを調節可能であり、容器２の寸法に合わせて調節する。この下側固定部１５に対して固定されるのが液体供給機１である。
【００３１】
液体供給機１は液体の流通と遮断を行う弁（コック）である。そして液体供給機１は、液体の貯留室と通路とを兼ねたボディ２１を備える。またボディ２１の内部は図示しないが、液体供給機１は、ボディ２１内の通路の一部（弁座）を開閉可能な弁体と、ボディ２１に対して移動可能に支持されると共に弁体が固定される弁棒と、弁体を弁座に押し付けるバネとを備える。そして液体供給機１は、その他に、弁座の開閉のために弁棒を操作する操作部２２であって弁棒に連結され且つボディ２１の外部空間に配置される操作部２２と、ボディ２１から側方に突出すると共にスタンド１１に固定するスタンド用固定部２３と、スタンド用固定部２３を貫通すると共にボディ２１から延びる注入口２４を備える。
【００３２】
注入口２４は図５に示すように、筒状の注入口本体２６と、注入口本体２６の内部空間２４ａを仕切ると共に外部空間に延長する第２の仕切壁２７とを備える。注入口２４は弾性変形不能な樹脂、いわゆる硬質樹脂である。
【００３３】
注入口本体２６は、上下方向に延びる。そして注入口本体２６の一端は外部空間に向かって開口し、その一端から液体が流入する。一方、注入口本体２６の他端はボディ２１に接合され、その他端から液体がボディ２１に流出する。注入口本体２６の一端側にはその外周面を包囲する形で液体用接続パイプ３のうち仕切壁延長部８とは反対側の内側（大空間部４ｄ側）が嵌合する。そして注入口本体２６の一端側の外径は液体用接続パイプ３のうち仕切壁延長部８とは反対側の内径（大空間部４ｄの外径）と同じかそれよりも僅かに大きくしてある。
【００３４】
第２の仕切壁２７は、注入口本体２６の貫通方向（図での上下方向）に沿って延びる。また第２の仕切壁２７は、注入口本体２６の内部空間２４ａを仕切る第２の仕切壁本体２８と、第２の仕切壁本体２８から注入口本体２６の外部空間に向かって延長する第２の仕切壁延長部２９とを備える。
【００３５】
また注入口２４と液体用接続パイプ３とを接続させて、注入口本体２６の一端側に液体用接続パイプ３のうち仕切壁延長部８とは反対側を嵌合させた状態では、第２の仕切壁２７と液体用接続パイプ３の仕切壁５とを一直線に揃えられるように次のように構成してある。
図１（Ｂ）に示すようにパイプ本体４の貫通方向から液体用接続パイプ３を視た場合に液体用接続パイプ３のパイプ本体４は円環状であり、仕切壁５は直線状である。一方、図示しないが、注入口本体２６の貫通方向から注入口２４を視た場合に注入口本体２６も円環状であり、第２の仕切壁２７も直線状となる。そして各々の貫通方向から見た場合に、注入口本体２６の中心に対する第２の仕切壁延長部２９の端面（注入口本体２６の外部に露出する面）の配置とパイプ本体４の中心に対する仕切壁本体６の端面（パイプ本体４の内部空間に露出する面）の配置とを合わせてある。
【００３６】
上記した第一実施形態の液体供給機セットは、操作部２２を操作しない場合には、液体供給機１の弁座が弁体によって閉じられており、容器２から流出した液体が液体供給機１内に貯留されている。そして操作部２２を操作すると、液体供給機１の弁座が開いて、液体供給機１から液体が流出し、その代わりに空気が液体供給機１に流入する。そして空気は液体供給機１の注入口２４を経て容器２に流入する。
【００３７】
上記した第一実施形態の液体用接続パイプ３は、容器２の口部２ａ内を仕切壁５（仕切壁延長部８）によって仕切るように接続してあるので、仕切壁５によってパイプ本体４の内部空間４ａだけでなく容器２の口部２ａ内も整流効果が発揮され、例えば仕切壁５がパイプ本体４の内部空間４ａを仕切るだけのものと比べれば、液体の脈動をより抑制することができる。しかもパイプ本体４が弾性変形するので、容器２の口部２ａと注入口２４とがずれていても、両者を接続することができ、接続作業が容易になる。
【００３８】
また第一実施形態の液体用接続パイプ３は、リブ６を備えるので、パイプ本体４が曲がった場合にも部分的に潰れ難くなり、例えばリブ６がない液体用接続パイプ３に比べれば、液体の流出量を確保し易くなる。
【００３９】
また第一実施形態の液体供給機セットは、液体用接続パイプ３が仕切壁延長部８とは反対側に大空間部４ｄを備え、注入口２４の構成を液体用接続パイプ３と同様の構成、つまり第２の仕切壁２７が内部空間２４ａを仕切ると共に外部空間に延長する構成にしてあるので、第２の仕切壁延長部２９を目安にして第２の仕切壁２７と液体用接続パイプ３の仕切壁５とを一直線に揃えて、第２の仕切壁延長部２９を大空間部４ｄに挿入することができ、注入口用の第２の仕切壁２７と液体用接続パイプ３の仕切壁５とを当該パイプ本体４の貫通方向に合わせて位置決めし易くなり、液体の脈動を抑制することができる。
【００４０】
本考案の第二実施形態の液体供給機セットは、第一実施形態の液体供給機セットと比べると、液体用接続パイプについて相違する。
【００４１】
液体用接続パイプ３Ａは図６〜１０に示すように、パイプ本体４と仕切壁５とリブ６の他に、パイプ本体４の外周面のうち仕切壁延長部８とは反対側に形成される位置合わせ用の目印部Ｍと、仕切壁本体７のうち仕切壁延長部８とは反対側の端部であって且つ仕切壁本体７の厚み方向の一方側から大空間部４ｄ側に向かって延びると共に第２の仕切壁２７を位置決めする位置決め部９とを備える。
【００４２】
目印部Ｍは仕切壁５と同様に板状である。また目印部Ｍはパイプ本体４の外周面から突出している。その突出方向は、円筒状をなすパイプ本体４の中心線に対して直交する方向である。ちなみにパイプ本体４の貫通方向から液体用接続パイプ３を見ると、目印部Ｍは直線状となり、パイプ本体４の中心線は中心点となる。そして図６（Ｂ）に示すように該中心点を通過する一つの直線Ｌ１上に、目印部Ｍは配置される形でパイプ本体４の外周面から突出していることが分かる。
また仕切壁５もパイプ本体４の中心線に対して直交する方向に延びる形でパイプ本体４の内部空間４ａを仕切っており、当該直線Ｌ１上に配置される。
そうすると図９に示すように仕切壁延長部８が直線状に見える向きでパイプ本体４の外周面を見た場合に目印部Ｍと仕切壁延長部８とは同一の直線Ｌ２上に配置される。
【００４３】
位置決め部９は板状であり、パイプ本体４の貫通方向の一端部を仕切壁本体７に対して連続させてある。また位置決め部９も仕切壁５に対して平行であり、仕切壁延長部８とは反対側には大空間部４ｄが配置される。ちなみにパイプ本体４の中心線に対して口径方向に外れた位置に位置決め部９は配置される。
【００４４】
上記した第二実施形態の液体供給機セットは図９に示すように、目印部Ｍと第２の仕切壁延長部２９とを同一の直線Ｌ２上に配置されるようにして、液体用接続パイプ３を注入口２４に接続すれば、液体供給機１の注入口２４の第２の仕切壁２７を位置決め部９に重ね合わせることができ、液体用接続パイプ３の仕切壁５と第２の仕切壁２７とを一直線に揃えるように位置決めし易くなる。そして液体用接続パイプ３と注入口２４との間での整流効果が向上する。ちなみに液体用接続パイプ３が目印部Ｍを備えるので、仕切壁延長部８が容器２の口部２ａ内に挿入されて目視不能となったとしても、目印部Ｍによって仕切壁５の状態を把握しながら仕切壁延長部８とは反対側において仕切壁５と第２の仕切壁２７とを一直線に揃えるように配置できる。
【００４５】
本考案は上記実施形態に限定されるものではなく、その趣旨を逸脱しない範囲において適宜変更可能である。
【符号の説明】
【００４６】
１  液体供給機
２  容器
２ａ  口部
３，３Ａ  液体用接続パイプ
４  パイプ本体
４ａ  内部空間
４ｂ  第１の空間部
４ｃ  第２の空間部
４ｄ  大空間部
４ｈ  仕切壁延長部側の端部
４ｉ  仕切壁延長部とは反対側の端部
４ｊ  貫通方向の中間部
５  仕切壁
６  リブ
７  仕切壁本体
８  仕切壁延長部
９  位置決め部
１１  スタンド
１２  バイス
１３  シャフト
１４  アーム
１５  下側固定部
２１  ボディ
２２  操作部
２３  スタンド用固定部
２４  注入口
２４ａ  内部空間
２６  注入口本体
２７  第２の仕切壁
２８  第２の仕切壁本体
２９  第２の仕切壁延長部
Ｔ  テーブル
Ｌ  パイプ本体の全長
Ｌ１  直線
Ｌ２  直線
Ｍ  目印部
【図１】
0003223867.tif 000003
【図２】
0003223867.tif 000004
【図３】
0003223867.tif 000005
【図４】
0003223867.tif 000006
【図５】
0003223867.tif 000007
【図６】
0003223867.tif 000008
【図７】
0003223867.tif 000009
【図８】
0003223867.tif 000010
【図９】
0003223867.tif 000011
【図１０】
0003223867.tif 000012